(57)【要約】マイクロブログ・トピックスを表示する方法及び移動端末を提供する。方法の例は、移動端末が、少なくとも当該移動端末の第１の地理的位置を含む投稿をサーバーに送信し、これによりサーバーが、少なくともこの投稿に関連する情報に基づいて、移動端末の第１の地理的位置に関連するマイクロブログ・トピックスを検索することができるステップと、サーバーにより送信されたマイクロブログ・トピックスを受信するステップと、受信したマイクロブログ・トピックスをソートするステップとを含む。この方法は、さらに、ソートしたマイクロブログ・トピックスのうち１つ以上の第１マイクロブログ・トピックスを、移動端末のインタフェースの中心領域上に表示するステップと、ソートしたマイクロブログ・トピックスの残りを、中心領域の周りに、インタフェースの１つ以上の側部に向かって表示するステップとを含む。
2015513723.tif 000002
【特許請求の範囲】
【請求項１】
マイクロブログ・トピックスを表示する方法であって、
移動端末が、少なくとも当該移動端末の第１の地理的位置を含む投稿をサーバーに送信し、これにより前記サーバーは、少なくとも前記投稿に関連する情報に基づいて、前記移動端末の前記第１の地理的位置に関連するマイクロブログ・トピックスを検索することができるステップと、
前記サーバーにより送信されたマイクロブログ・トピックスを受信するステップと、
前記受信したマイクロブログ・トピックスをソートするステップと、
前記ソートしたマイクロブログ・トピックスのうち１つ以上の第１マイクロブログ・トピックスを、前記移動端末のインタフェースの中心領域上に表示するステップと、
前記ソートしたマイクロブログ・トピックスの残りを、前記中心領域の周りに、前記インタフェースの１つ以上の側部に向かって表示するステップと
を含むことを特徴とする方法。
【請求項２】
前記移動端末が、前記ソートしたマイクロブログ・トピックスを、前記インタフェースの前記中心領域から前記１つ以上の側部に向かって小さくなるようなフォントで表示するステップをさらに含み、前記フォントは所定限度以上の大きさであることを特徴とする請求項１に記載の方法。
【請求項３】
前記受信したマイクロブログ・トピックスをソートするステップは、
前記移動端末が、前記受信したマイクロブログ・トピックスを、前記受信したマイクロブログ・トピックスの各々に関連するマイクロブログの量に応じて降順にソートすることを含むことを特徴とする請求項１に記載の方法。
【請求項４】
前記受信したマイクロブログ・トピックスをソートするステップは、
前記移動端末が、前記受信したマイクロブログ・トピックスを、前記移動端末の前記第１の地理的位置と前記受信したマイクロブログ・トピックスの第２の地理的位置との間の距離に応じて昇順にソートすることを含み、
前記受信したマイクロブログ・トピックスの前記第２の地理的位置は、前記受信したマイクロブログ・トピックスのうちの１つをユーザが投稿した際の、前記ユーザの第３の地理的位置を含むことを特徴とする請求項１に記載の方法。
【請求項５】
前記受信したマイクロブログ・トピックスをソートするステップはさらに、
前記受信したマイクロブログ・トピックスのうち２つ以上が同じ前記第２の地理的位置に対応することに応答して、前記移動端末が、前記受信したマイクロブログ・トピックスを、前記受信したマイクロブログ・トピックスの各々に関連するマイクロブログの量に応じて降順にソートすることを含むことを特徴とする請求項４に記載の方法。
【請求項６】
移動端末において、
少なくとも当該移動端末の第１の地理的位置を含む投稿をサーバーに送信するように構成された送信モジュールであって、これにより前記サーバーは、少なくとも前記投稿に関連する情報に基づいて、前記移動端末の前記第１の地理的位置に関連するマイクロブログ・トピックスを検索することができる送信モジュールと；
前記サーバーにより送信されたマイクロブログ・トピックスを受信するように構成された受信モジュールと、
前記受信したマイクロブログ・トピックスをソートするように構成されたソートモジュールと、
前記ソートしたマイクロブログ・トピックスのうち１つ以上の第１マイクロブログ・トピックスを、前記移動端末のインタフェースの中心領域上に表示し、前記ソートしたマイクロブログ・トピックスの残りを、前記中心領域の周りに、前記インタフェースの１つ以上の側部に向かって表示するように構成された表示モジュールと
を具えていることを特徴とする移動端末。
【請求項７】
前記表示モジュールは、さらに、前記ソートしたマイクロブログ・トピックスを、前記インタフェースの前記中心領域から前記１つ以上の側部に向かって小さくなるようなフォントで表示するように構成され、前記フォントは所定限度以上の大きさであることを特徴とする請求項６に記載の移動端末。
【請求項８】
前記ソートモジュールは第１ソート部を含み、この第１ソート部は、前記受信したマイクロブログ・トピックスを、前記受信したマイクロブログ・トピックスの各々に関連するマイクロブログの量に応じて降順にソートするように構成されていることを特徴とする請求項６に記載の移動端末。
【請求項９】
前記ソートモジュールは、さらに、第２ソート部を含み、この第２ソート部は、前記受信したマイクロブログ・トピックスを、前記移動端末の前記第１の地理的位置と前記受信したマイクロブログ・トピックスの第２の地理的位置との間の距離に応じて昇順にソートするように構成され、
前記受信したマイクロブログ・トピックスの前記第２の地理的位置は、前記受信したマイクロブログ・トピックスのうちの１つをユーザが投稿した際の前記ユーザの第３の地理的位置を含むことを特徴とする請求項６に記載の移動端末。
【請求項１０】
前記ソートモジュールは、さらに、第３ソート部を含み、この第３ソート部は、前記受信したマイクロブログ・トピックスのうち２つ以上が同じ前記第２の地理的位置に対応することに応答して、前記受信したマイクロブログ・トピックスを、前記受信したマイクロブログ・トピックスの各々に関連するマイクロブログの量に応じて降順にソートするように構成されていることを特徴とする請求項９に記載の移動端末。
【請求項１１】
マイクロブログ・トピックスを表示するためのコンピュータ・プログラミング命令を含む非一時的なコンピュータ可読媒体であって、前記プログラミング命令は、処理システムに動作を実行させるように構成され、前記動作は、
少なくとも移動端末の第１の地理的位置を含む投稿をサーバーに送信し、これにより前記サーバーは、少なくとも前記投稿に関連する情報に基づいて、前記移動端末の第１の地理的位置に関連するマイクロブログ・トピックスを検索することができることと、
前記サーバーより送信されたマイクロブログ・トピックスを受信することと、
前記受信したマイクロブログ・トピックスをソートすることと、
前記ソートしたマイクロブログ・トピックスのうち１つ以上の第１マイクロブログ・トピックスを、前記移動端末のインタフェースの中心領域上に表示することと、
前記ソートしたマイクロブログ・トピックスの残りを、前記中心領域の周りに、前記インタフェースの１つ以上の側部に向かって表示することと
を含むことを特徴とする非一時的なコンピュータ可読媒体。
【請求項１２】
コンピュータにより実現され、マイクロブログ・トピックスを表示するシステムにおいて、
１つ以上のデータプロセッサと、
前記プロセッサに命令して動作を実行させるための命令を符号化したコンピュータ可読の記憶媒体とを具え、前記動作は、
少なくとも移動端末の第１の地理的位置を含む投稿をサーバーに送信し、これにより前記サーバーが、少なくとも前記投稿に関連する情報に基づいて、前記移動端末の前記第１の地理的位置に関連するマイクロブログ・トピックスを検索することができることと、
前記サーバーにより送信された前記マイクロブログ・トピックスを受信することと、
前記受信したマイクロブログ・トピックスをソートすることと、
前記ソートしたマイクロブログ・トピックスのうち１つ以上の第１マイクロブログ・トピックスを、前記移動端末の中心領域上に表示することと、
前記ソートしたマイクロブログ・トピックスの残りを、前記中心領域の周りに、前記インタフェースの１つ以上の側部に向かって表示することと
を含むことを特徴とするコンピュータにより実現されるシステム。
【請求項１３】
マイクロブログ・トピックスを表示する方法であって、
移動端末が、少なくとも当該移動端末の第１の地理的位置を含む投稿をサーバーに送信し、これにより前記サーバーは、少なくとも前記投稿に関連する情報に基づいて、前記移動端末の前記第１の地理的位置に関連するマイクロブログ・トピックスを検索することができるステップと、
前記サーバーにより送信された前記マイクロブログ・トピックスを受信するステップと、
前記受信したマイクロブログ・トピックスをソートするステップと、
前記ソートしたマイクロブログ・トピックスのうち１つ以上の第１マイクロブログ・トピックスを、前記移動端末のインタフェースの中心領域上に表示するステップと、
前記ソートしたマイクロブログ・トピックスの残りを、前記中心領域の周りに、前記インタフェースの１つ以上の側部に向かって表示するステップと、
前記移動端末が、前記ソートしたマイクロブログ・トピックスを、前記インタフェースの前記中心領域から前記１つ以上の側部に向かって小さくなるようなフォントで表示するステップであって、前記フォントが所定限度以上の大きさであるステップとを含み、
前記受信したマイクロブログ・トピックスをソートするステップは、前記移動端末が、前記受信したマイクロブログ・トピックスを、前記受信したマイクロブログ・トピックスの各々に関連するマイクロブログの量に応じて降順にソートするステップを含み、
前記受信したマイクロブログ・トピックスをソートするステップは、さらに、
前記移動端末が、前記受信したマイクロブログ・トピックスを、前記移動端末の前記第１の地理的位置と前記受信したマイクロブログ・トピックスの第２の地理的位置との間の距離に応じて昇順にソートするステップであって、前記受信したマイクロブログ・トピックスの前記第２の地理的位置は、前記受信したマイクロブログ・トピックスのうち１つをユーザが投稿した際の、前記ユーザの第３の地理的位置を含むステップと、
前記受信したマイクロブログ・トピックスのうち２つ以上が同じ前記第２の地理的位置に対応することに応答して、前記移動端末が、前記受信したマイクロブログ・トピックスを、前記受信したマイクロブログ・トピックスの各々に関連するマイクロブログの量に応じて降順にソートするステップと
を含むことを特徴とする方法。
【請求項１４】
移動端末において、
少なくとも当該移動端末の第１の地理的位置をサーバーに送信するように構成された送信モジュールであって、これにより前記サーバーは、少なくとも前記投稿に関連する情報に基づいて、前記移動端末の前記第１の地理的位置に関連するマイクロブログ・トピックスを検索することができる送信モジュールと、
前記サーバーにより送信された前記マイクロブログ・トピックスを受信するように構成された受信モジュールと、
前記受信したマイクロブログ・トピックスをソートするように構成されたソートモジュールと、
前記ソートしたマイクロブログ・トピックスのうち１つ以上の第１マイクロブログ・トピックスを、前記移動端末のインタフェースの中心領域上に表示し、前記ソートしたマイクロブログ・トピックスの残りを、前記中心領域の周りに、前記インタフェースの１つ以上の側部に向かって表示するように構成された表示モジュールとを具え、
前記表示モジュールは、さらに、前記ソートしたマイクロブログ・トピックスを、前記インタフェースの前記中心領域から前記１つ以上の側部に向かって小さくなるようなフォントで表示するように構成され、前記フォントは所定限度以上の大きさであり、
前記ソートモジュールは、
前記受信したマイクロブログ・トピックスを、前記受信したマイクロブログ・トピックスの各々に関連するマイクロブログの量に応じて降順にソートするように構成された第１ソート部と、
前記受信したマイクロブログ・トピックスを、前記移動端末の前記第１の地理的位置と前記受信したマイクロブログ・トピックスの第２の地理的位置との間の距離に応じて昇順にソートするように構成された第２ソート部であって、前記受信したマイクロブログ・トピックスの前記第２の地理的位置は、前記受信したマイクロブログ・トピックスのうちの１つをユーザが投稿した際の、前記ユーザの第３の地理的位置を含む第２ソート部と、
前記受信したマイクロブログ・トピックスのうち２つ以上が同じ前記第２の地理的位置に対応することに応答して、前記受信したマイクロブログ・トピックスを、前記受信したマイクロブログ・トピックスの各々に関連するマイクロブログの量に応じて降順にソートするように構成された第３ソート部とを含む
ことを特徴とする移動端末。
【発明の詳細な説明】
【技術分野】
【０００１】
１．関連出願の相互参照
本願は、中国特許出願第２０１２１０２２７３６８．２号、２０１２年７月３日出願に基づいて優先権を主張し、すべての目的を実現するためにその全文を参照する形で本明細書に含める。
【０００２】
２．発明の背景
本発明は通信技術に指向したものである。特に、本発明は、情報を表示するシステム及び方法を提供する。ほんの一例として、本発明はマイクロブログに応用されている。しかし、本発明はずっと広い応用性を有するものと認められる。
【背景技術】
【０００３】
マイクロブログは、情報の共有、拡散、及び獲得のための、ユーザ関係に基づくプラットフォームの一種である。余暇時間を豊かにするために、ユーザはマイクロブログ・トピックを投稿するか、マイクロブログを投稿することによって、マイクロブログ・トピックに関係する話し合いに参加することができる。さらに、サーバーは、マイクロブログ・トピックを、移動端末（例えば携帯電話、タブレット・コンピュータ、またはラップトップ・コンピュータ）にプッシュして、移動端末がそのマイクロブログ・トピックを取得することができるようにする。
【０００４】
従来技術では、サーバーが移動端末から、その移動端末の地理的位置を含む投稿を受信すると、サーバーはマイクロブログ・トピックスのリストを検索して、移動端末の地理的位置に関連するマイクロブログ・トピックスを移動端末へプッシュする。移動端末は、受信したマイクロブログ・トピックスを表示する。移動端末が複数のマイクロブログ・トピックスを受信する場合、これらのマイクロブログ・トピックスは、同じリスト・フォーマットまたは同じタグ・フォーマットを用いて表示される。
【０００５】
しかし、従来の表示技術はいくつかの欠点を有する。従って、マイクロブログ・トピックスを表示する技術を改善することが強く望まれる。
【発明の概要】
【発明が解決しようとする課題】
【０００６】
本発明は、通信技術に指向したものである。特に、本発明は、情報を表示するシステム及び方法を提供する。ほんの一例として、本発明はマイクロブログに応用されている。しかし、本発明はずっと広い応用性を有するものと認められる。
【課題を解決するための手段】
【０００７】
１つの好適例によれば、マイクロブログ・トピックスを表示する方法は、移動端末が、少なくとも当該移動端末の第１の地理的位置を含む投稿をサーバーに送信し、これによりサーバーは、少なくともこの投稿に関連する情報に基づいて、移動端末の第１の地理的位置に関連するマイクロブログ・トピックスを検索することができるステップと、サーバーにより送信されたマイクロブログ・トピックスを受信するステップと、受信したマイクロブログ・トピックスをソートするステップとを含む。この方法は、さらに、ソートしたマイクロブログ・トピックスのうち１つ以上の第１マイクロブログ・トピックスを、移動端末のインタフェースの中心領域上に表示するステップと、ソートしたマイクロブログ・トピックスの残りを、中心領域の周りに、インタフェースの１つ以上の側部に向かって表示するステップとを含む。
【０００８】
他の好適例によれば、移動端末は、送信モジュール、受信モジュール、ソートモジュール、及び表示モジュールを含む。送信モジュールは、移動端末の少なくとも第１の地理的位置を含む投稿をサーバーに送信するように構成され、これによりサーバーは、少なくともこの投稿に関連する情報に基づいて、移動端末の第１の地理的位置に関連するマイクロブログ・トピックスを検索することができる。受信モジュールは、サーバーが送信したマイクロブログ・トピックスを受信するように構成されている。ソートモジュールは、受信したマイクロブログ・トピックスをソートするように構成されている。表示モジュールは、ソートしたマイクロブログ・トピックスのうち１つ以上の第１マイクロブログ・トピックスを、移動端末のインタフェースの中心領域上に表示し、ソートしたマイクロブログ・トピックスの残りを、中心領域の周りに、インタフェースの１つ以上の側部に向かって表示するように構成されている。
【０００９】
１つの好適例では、マイクロブログ・トピックスを表示する方法は、移動端末が、少なくとも当該移動端末の第１の地理的位置を含む投稿をサーバーに送信し、これによりサーバーは、少なくともこの投稿に関連する情報に基づいて、移動端末の第１の地理的位置に関連するマイクロブログ・トピックスを検索することができるステップと、サーバーにより送信されたマイクロブログ・トピックスを受信するステップと、受信したマイクロブログ・トピックスをソートするステップとを含む。この方法は、さらに、ソートしたマイクロブログ・トピックスのうち１つ以上の第１マイクロブログ・トピックスを、移動端末のインタフェースの中心領域上に表示するステップと、ソートしたマイクロブログ・トピックスの残りを、インタフェースの中心領域の周りに、インタフェースの１つ以上の側部に向かって表示するステップと、移動端末が、ソートしたマイクロブログ・トピックスを、インタフェースの中心領域から上記１つ以上の側部に向かって小さくなるようなフォントで表示するステップであって、これらのフォントが所定限度以上の大きさであるステップとを含む。受信したマイクロブログ・トピックスをソートするステップは、移動端末が、受信したマイクロブログ・トピックスを、受信したマイクロブログ・トピックスの各々に関連するマイクロブログの量に応じて降順にソートすることを含む。受信したマイクロブログ・トピックスをソートするステップは、さらに、移動端末が、受信したマイクロブログ・トピックスを、移動端末の第１の地理的位置と受信したマイクロブログ・トピックスの第２の地理的位置との間の距離に応じて昇順にソートするステップであって、受信したマイクロブログ・トピックスの第２の地理的位置は、受信したマイクロブログ・トピックスのうちの１つをユーザが投稿した際の、ユーザの第３の地理的位置を含むステップと、受信したマイクロブログ・トピックスのうち２つ以上が同じ第２の地理的位置に対応することに応答して、移動端末が、受信したマイクロブログ・トピックスを、受信したマイクロブログ・トピックスの各々に関連するマイクロブログの量に応じて降順にソートするステップを含む。
【００１０】
他の好適例では、移動端末は、送信モジュール、受信モジュール、ソートモジュール、及び表示モジュールを含む。送信モジュールは、少なくとも当該移動端末の第１の地理的位置を含む投稿をサーバーに送信するように構成され、これによりサーバーは、少なくともこの投稿に関連する情報に基づいて、移動端末の第１の地理的位置に関連するマイクロブログ・トピックスを検索することができる。受信モジュールは、サーバーが送信したマイクロブログ・トピックスを受信するように構成されている。ソートモジュールは、受信したマイクロブログ・トピックスをソートするように構成されている。表示モジュールは、ソートしたマイクロブログ・トピックスのうち１つ以上の第１マイクロブログ・トピックスを、移動端末のインタフェースの中心領域上に表示し、ソートしたマイクロブログ・トピックスの残りを、中心領域の周りに、インタフェースの１つ以上の側部に向かって表示するように構成されている。表示モジュールは、さらに、ソートしたマイクロブログ・トピックスを、インタフェースの中心領域から上記１つ以上の側部に向かって小さくなるようなフォントで表示するように構成され、これらのフォントは所定限度以上の大きさである。ソートモジュールは、受信したマイクロブログ・トピックスを、受信したマイクロブログ・トピックスに関連するマイクロブログの量に応じて降順にソートするように構成された第１ソート部と、受信したマイクロブログ・トピックスを、移動端末の第１の地理的位置と受信したマイクロブログ・トピックスの第２の地理的位置との間の距離に応じて昇順にソートするように構成された第２ソート部であって、受信したマイクロブログ・トピックスの第２の地理的位置は、受信したマイクロブログ・トピックスのうちの１つをユーザが投稿した際の、ユーザの第３の地理的位置を含む第２ソート部と、受信したマイクロブログ・トピックスのうち２つ以上が同じ第２の地理的位置に対応することに応答して、受信したマイクロブログ・トピックスを、受信したマイクロブログ・トピックスの各々に関連するマイクロブログの量に応じて降順にソートするように構成された第３ソート部とを含む。
【００１１】
好適例次第で、１つ以上の利点を得ることができる。これらの利点、及び本発明の種々の追加的目的、特徴及び利点は、以下の詳細な説明及び添付の図面を参照して十分に理解することができる。
【００１２】
例えば、本明細書に記載する方法及び移動端末は、受信したマイクロブログ・トピックスをソートし、ソートしたマイクロブログ・トピックスのうち１つ以上の第１マイクロブログ・トピックスを、移動端末のインタフェースの中心領域上に表示し、ソートしたマイクロブログ・トピックスの残りを、中心領域の周りに、インタフェースの１つ以上の側部に向かって表示して、マイクロブログ・トピックスの関連性を、それぞれの表示位置に応じて強調し、関連情報を入手することの困難を減らすことができる。さらに、本明細書に記載する方法及び移動端末は、マイクロブログ・トピックスを、インタフェースの中心領域から１つ以上の側部に向かって小さくなるようなフォントで表示し、これらのフォントは所定限度以下の大きさであり、これにより、マイクロブログ・トピックスの関連性を、マイクロブログ・トピックスのフォントサイズに応じて強調して、関連情報を入手することの困難をさらに減らすことができる。
【図面の簡単な説明】
【００１３】
【図１】本発明の一実施形態による、マイクロブログ・トピックスを表示する方法を示す略図である。
【図２】本発明の他の実施形態による、マイクロブログ・トピックスを表示する方法を示す略図である。
【図３】本発明の一実施形態による、マイクロブログ・トピックスを表示するための移動端末のインタフェースを示す略図である。
【図４】本発明の他の実施形態による、マイクロブログ・トピックスを表示するための移動端末のインタフェースを示す略図である。
【図５】本発明のさらに他の実施形態による、マイクロブログ・トピックスを表示する方法を示す略図である。
【図６】本発明の一実施形態による、移動端末の特定構成要素を示す略図である。
【図７】本発明の一実施形態による、図６に示す移動端末の一部分としてのソートモジュールの特定構成要素を示す略図である。
【発明を実施するための形態】
【００１４】
本発明は通信技術に指向したものである。特に、本発明は、情報を表示するシステム及び方法を提供する。ほんの一例として、本発明はマイクロブログに応用されている。しかし、本発明はずっと広い応用性を有するものと認められる。
【００１５】
上述したように、従来技術では、移動端末が複数のマイクロブログ・トピックスを、同じリスト・フォーマットまたは同じタグ・フォーマットで表示する。しかし、ユーザは、１つのリスト・フォーマットまたはタグ・フォーマットで移動端末上に表示されたマイクロブログ・トピックスの関連性を容易に特定することができないことがあり、従って、ユーザが関連情報を入手するには不都合であることが多い。
【００１６】
図１は、本発明の一実施形態による、マイクロブログ・トピックスを表示する方法を示す略図である。この図は一例に過ぎず、特許請求の範囲を過度に限定すべきものではない。通常の当業者は、多数の変形、代案、及び変更を認識する。マイクロブログ・トピックスを表示する方法１００は、少なくとも、移動端末が投稿をサーバーに送信し、これによりサーバーが、関連するマイクロブログ・トピックスを検索することができるプロセス（工程）１０１、サーバーが送信したマイクロブログ・トピックスを受信するプロセス１０２、受信したマイクロブログ・トピックスをソートするプロセス１０３、及びソートしたマイクロブログ・トピックスを表示するプロセス１０４を含む。
【００１７】
図１に示すように、特定の実施形態によれば、プロセス１０１では、移動端末（例えば、携帯電話、タブレット・コンピュータ、ラップトップ・コンピュータ、等）が、少なくとも当該移動端末の地理的位置を含む投稿をサーバーに送信し、これによりサーバーは、少なくともこの投稿に関連する情報に基づいて、移動端末の地理的位置に関連するマイクロブログ・トピックスを検索することができる。プロセス１０２では、例えば、移動端末がサーバーから送信されたマイクロブログ・トピックスを受信する。他の例では、プロセス１０３において、移動端末が、受信したマイクロブログ・トピックスをソートする。一部の実施形態によれば、プロセス１０４では、移動端末が、ソートしたマイクロブログ・トピックスのうち１つ以上の第１マイクロブログ・トピックスを、移動端末のインタフェース（例えば、スクリーン、グラフィック・ユーザ・インタフェース、ディスプレイ、等）の中心領域上に表示し、ソートしたマイクロブログ・トピックスの残りを、中心領域の周りに、移動端末の１つ以上の側部に向かって表示する。
【００１８】
具体的には、一実施形態によれば、移動端末が、ソートしたマイクロブログ・トピックスのうち１つ以上の第１マイクロブログ・トピックスを、当該移動端末のインタフェースの中心領域上に表示し、ソートしたマイクロブログ・トピックスの残りを中心領域の周りに表示した後に、移動端末が、ソートしたマイクロブログ・トピックスを、インタフェースの中心領域からインタフェースの１つ以上の側部に向かって小さくなるようなフォントで表示し、これらのフォントを所定限度以上の大きさに保つ。
【００１９】
他の実施形態では、プロセス１０３において、移動端末が、サーバーから受信したマイクロブログ・トピックスを、受信したマイクロブログ・トピックスの各々に関連するマイクロブログの量に応じて降順にソートする。例として、プロセス１０３は、移動端末が、受信したマイクロブログ・トピックスを、当該移動端末の地理的位置と受信したマイクロブログ・トピックスの地理的位置との間の距離に応じて昇順にソートすることを含む。一例では、受信したマイクロブログ・トピックスのうち１つの地理的位置は、ユーザがそのマイクロブログ・トピックスを投稿した際のユーザの地理的位置に相当する。
【００２０】
さらに他の実施形態では、移動端末が、サーバーから受信したマイクロブログ・トピックスを、当該移動端末の地理的位置と受信したマイクロブログ・トピックスの地理的位置との間の距離に応じてソートした後に、複数のマイクロブログ・トピックスが同じ地理的位置に対応する場合、移動端末が、これらのマイクロブログ・トピックスを、マイクロブログ・トピックスの各々に関連するマイクロブログの量に応じて降順にソートする。
【００２１】
図２は、本発明の他の実施形態による、マイクロブログ・トピックスを表示する方法を示す略図である。この図は一例に過ぎず、特許請求の範囲を過度に限定すべきものではない。通常の当業者は、多数の変形、代案、及び変更を認識する。マイクロブログ・トピックスを表示する方法２００は、少なくとも、移動端末が投稿をサーバーに送信し、これによりサーバーが、関連するマイクロブログ・トピックスを検索することができるプロセス２０１と、サーバーが送信したマイクロブログ・トピックスを移動端末において受信するプロセス２０２と、受信したマイクロブログ・トピックスを、受信したマイクロブログ・トピックスの各々に関連するマイクロブログの量に応じてソートするプロセス２０３と、ソートしたマイクロブログ・トピックスのうち１つ以上の第１マイクロブログ・トピックスを、移動端末のインタフェースの中心領域上に表示し、ソートしたマイクロブログ・トピックスの残りを、中心領域の周りに、インタフェースの側部に向かって表示するプロセス２０４と、ソートしたマイクロブログ・トピックスを、インタフェースの中心領域から側部に向かって小さくなるようなフォントで表示するプロセス２０５とを含む。
【００２２】
図２に示すように、一部の実施形態によれば、プロセス２０１では、移動端末が、少なくとも当該移動端末の地理的位置を含む投稿をサーバーに送信し、これによりサーバーは、少なくともこの投稿に関連する情報に基づいて、移動端末の地理的位置に関連するマイクロブログ・トピックスを検索することができる。例えば、投稿とは、ユーザがマイクロブログ・トピックを投稿するか、或いは特定のマイクロブログ・トピックに関連するマイクロブログを投稿する際に、サーバーに送信されるメッセージを称する。他の例では、投稿がサーバーに送信される前に、ユーザが、ユーザの現在の地理的位置を開示すべきか否かを決定することができる。例として、ユーザが自分の地理的位置を開示することを選定した場合、移動端末はその地理的位置を取得して、こうした情報を、サーバーに送信される投稿に追加する。サーバーは、移動端末の地理的位置を、マイクロブログ・インタフェース上に表示することができる。一方、ユーザが自分の地理的位置を開示しないことを選定した場合、移動端末は、自機の地理的位置を取得する必要がない。一実施形態では、投稿が、移動端末の現在の地理的位置に関係する情報を含む。
【００２３】
具体的には、一部の実施形態では、移動端末がその地理的位置を取得する多数の方法が存在する。例えば、移動端末が、ＧＰＳ（Global Positioning System：全地球測位システム）、モバイル・ネットワークの基地局、Ｗｉ−Ｆｉ（Wireless Fidelity：ワイファイ）（登録商標）のホットスポット、または他に利用可能な手段を用いて、その地理的位置を特定することができる。
【００２４】
一実施形態によれば、サーバーが、移動端末の地理的位置を投稿内で取得して、この地理的位置に関連するマイクロブログ・トピックスを、マイクロブログ・トピック・ライブラリ（例えば、マイクロブログ・トピックスのリスト）内で検索する。一部の実施形態では、ユーザが特定時刻に投稿したマイクロブログ・トピックは、その特定時刻におけるユーザの地理的位置と移動端末の地理的位置との間の距離が１つ以上の所定条件を満足する場合に、移動端末の地理的位置に関連するものと判定することができる。例えば、１つ以上の所定条件が、上記距離が０に等しいことを含む場合、サーバーは、移動端末と同じ地理的位置を有するマイクロブログ・トピックスを検索する。他の例では、１つ以上の所定条件が、上記距離が所定閾値（例えば、１ｋｍ）以下であることを含む場合、サーバーは、移動端末の地理的位置から１ｋｍの距離内にある地理的位置を有するマイクロブログ・トピックスを検索する。
【００２５】
他の実施形態によれば、上記１つ以上の所定条件が、上記距離が所定閾値以下であることを含む場合、中間距離を、[０，所定閾値]の範囲から選択して、検索範囲を限定する。例えば、中間距離を所定閾値に達するまで次第に増加させて、検索範囲を増加させることができる。例として、ユーザの地理的位置に近いマイクロブログ・トピックスが優先的に検索されて、マイクロブログ・トピックスのユーザとの関連性を増加させることができる。例えば、所定閾値が２ｋｍに等しい場合、２つの中間距離０．５ｋｍ及び１ｋｍを選定することができる。サーバーは、まず、マイクロブログ・トピック・ライブラリ内で、移動端末の地理的位置から０．５ｋｍ以内の距離を有するマイクロブログ・トピックを検索することができる。次に、サーバーは、移動端末の地理的位置から０．５ｋｍより大きく、かつ１ｋｍ以下の距離を有するマイクロブログ・トピックスを検索することができる。その後に、検索プロセスの終了まで、サーバーは、移動端末の地理的位置から１ｋｍより大きく、かつ２ｋｍ以下の距離を有するマイクロブログ・トピックスを検索することができる。例として、移動端末の地理的位置が変化する場合、サーバーは、移動端末の新たな地理的位置に応じて、関連するマイクロブログ・トピックスを検索して、移動端末の新たな地理的位置に関連するマイクロブログ・トピックスを移動端末に送信して表示させる。
【００２６】
図２に示すように、一実施形態では、プロセス２０２において、移動端末が、サーバーにより送信された関連するマイクロブログ・トピックスを受信する。例えば、プロセス２０３では、移動端末が、受信したマイクロブログ・トピックスを、受信したマイクロブログ・トピックスの各々に関連するマイクロブログの量に応じて降順にソートする。具体的には、例として、マイクロブログ・トピックスが投稿された後に、ユーザは、マイクロブログを投稿することによって、こうしたトピックに対してコメントすることができる。例えば、マイクロブログ・トピックに関連するマイクロブログの量は、トピックの人気を示す。一実施形態では、移動端末が、受信したマイクロブログ・トピックスを、当該マイクロブログ・トピックスに関連するマイクロブログの量に応じてソートして、人気のあるマイクロブログ・トピックスをユーザに対して表示して、マイクロブログ・トピックスの関連性を強調する。
【００２７】
一部の実施形態によれば、プロセス２０４では、移動端末が、ソートしたマイクロブログ・トピックスのうち１つ以上のマイクロブログ・トピックスを、移動端末のインタフェースの中心領域上に表示し、ソートしたマイクロブログ・トピックスの残りを、中心領域の周りに、インタフェースの１つ以上の側部に向かって表示する。一実施形態では、移動端末が、ソートしたマイクロブログ・トピックスを、これらのマイクロブログ・トピックスを表示する前に、異なるレベルに分割する。例えば、第１レベルが上記１つ以上の第１マイクロブログ・トピックスを含み、他のレベルの各々が、少なくとも１つのマイクロブログ・トピックを含む。例として、同じレベルのマイクロブログ・トピックスを同じ視覚効果でインタフェース上に表示する。他の例では、移動端末が複数のレベルを含む場合、第１レベルのマイクロブログ・トピックスをインタフェースの中心領域上に表示し、第２レベルのマイクロブログ・トピックスを、第１レベルのマイクロブログ・トピックスの周りに（例えば、放射状に）表示し、第３レベルのマイクロブログ・トピックスを、第２レベルのマイクロブログ・トピックスの周りに（例えば放射状に）表示し、全レベルのマイクロブログ・トピックスが表示されるまで行う。
【００２８】
例えば、図３に示すように、ソートしたマイクロブログ・トピックスがＡ、Ｂ、Ｃ、Ｄ、Ｅ、Ｆ、Ｇ、Ｈ及びＩを含み、これらがインタフェース上に次のように表示される：Ａが第１レベルに割り当てられ、Ｂ及びＣが第２レベルに割り当てられ、Ｄ及びＥが第３レベルに割り当てられ、そしてＦ、Ｇ、Ｈ及びＩが第４レベルに割り当てられる。Ａはインタフェースの中心領域上に表示され、Ｂ及びＣはＡの周りに（例えば放射状に）表示され、Ｄ及びＥは、Ｂ及びＣの周りに（例えば放射状に）表示され、Ｆ、Ｇ，Ｈ及びＩは、Ｄ及びＥの周りに（例えば放射状に）表示される。
【００２９】
再び図２を参照すれば、一部の実施形態によれば、プロセス２０５は、移動端末が、ソートしたマイクロブログ・トピックスを、インタフェースの中心領域から側部に向かって小さくなるようなフォントで表示することを含み、これらのフォントは所定限度以下の大きさである。一実施形態では、移動端末がマイクロブログ・トピックスを、インタフェースの中心領域から外向きに側部に向かって小さくなるようなフォントで表示して、視覚効果を増強する。例えば、マイクロブログ・トピックスのフォントサイズを、異なるレベルに応じて設定することができる。例として、図４に示すように、第１レベルのマイクロブログ・トピックスは、No.３（16pt）のフォントサイズを有するように設定し、第２レベルのマイクロブログ・トピックスは、No.４（14pt）のフォントサイズを有するように設定する。
【００３０】
一部の実施形態では、特定の地理的位置に存在するマイクロブログ・トピックスが多過ぎる場合、それより低いレベルのマイクロブログ・トピックスは、これらのトピックスを明瞭に表示することができないほど小さいフォントを有することがある。例えば、移動端末は、最小のフォントサイズを設定することができる。一実施形態によれば、特定のマイクロブログ・トピックを最小のフォントサイズで表示した際に、それより低いレベルのすべてのマイクロブログ・トピックスを最小のフォントサイズで表示する。特定実施形態によれば、移動端末は、ボールド（太字）フォントを使用すること、フォント色及び／または背景色を設定すること、等によって、マイクロブログ・トピックスの視覚効果を増強して、異なるマイクロブログ・トピックスをさらに区別することができる。
【００３１】
図５は、本発明のさらに他の実施形態による、マイクロブログ・トピックスを表示する方法を示す略図である。この図は例に過ぎず、特許請求の範囲を過度に限定するものではない。通常の当業者は、多数の変形、代案、及び変更を認識する。マイクロブログ・トピックスを表示する方法５００は、少なくとも、移動端末が投稿をサーバーに送信し、これによりサーバーが関連するマイクロブログ・トピックスを検索することができるプロセス５０１と、サーバーにより送信されたマイクロブログ・トピックスを受信するプロセス５０２と、受信したマイクロブログ・トピックスを、移動端末の地理的位置と受信したマイクロブログ・トピックスの地理的位置との間の距離に応じてソートするプロセス５０３と、ソートしたマイクロブログ・トピックスのうち１つ以上の第１マイクロブログ・トピックスを、移動端末のインタフェースの中心領域上に表示し、ソートしたマイクロブログ・トピックスの残りを、中心領域の周りに、インタフェースの側部に向かって表示するプロセス５０４と、ソートしたマイクロブログ・トピックスを、インタフェースの中心領域から側部に向かって小さくなるようなフォントで表示するプロセス５０５とを含む。
【００３２】
図５に示すように、特定実施形態によれば、プロセス５０１は、移動端末が、少なくとも当該移動端末の地理的位置を含む投稿をサーバーに送信し、これによりサーバーは、少なくともこの投稿に関連する情報に基づいて、移動端末の地理的位置に関連するマイクロブログ・トピックスを検索することができる。例えば、投稿とは、ユーザがマイクロブログ・トピックを投稿するか、或いは特定のマイクロブログ・トピックに関連するマイクロブログを投稿した際に、サーバーに送信されるメッセージを称する。一実施形態では、投稿が、移動端末の現在の地理的位置に関する情報を含む。サーバーは、移動端末の地理的位置に関連するマイクロブログ・トピックスを、プロセス２０１において述べたことと同様に検索する。例えば、移動端末の地理的位置が変化する場合、サーバーは、新たな地理的位置に応じたマイクロブログ・トピックスを検索して、新たな地理的位置に関連するマイクロブログ・トピックスを移動端末に送信して表示させる。
【００３３】
一実施形態によれば、プロセス５０２では、移動端末が、サーバーより送信されたマイクロブログ・トピックスを受信し、プロセス５０３では、移動端末が、受信したマイクロブログ・トピックスを、移動端末の地理的位置と受信したマイクロブログ・トピックスの地理的位置との間の距離に応じて昇順にソートする。例えば、受信したマイクロブログ・トピックスの地理的位置は、ユーザがこのマイクロブログ・トピックを投稿した際の、ユーザの地理的位置に相当する。
【００３４】
一実施形態では、移動端末が、受信したマイクロブログ・トピックスを、受信したマイクロブログ・トピックスの地理的位置と移動端末の地理的位置との間の距離に応じて昇順にソートし、これにより、ユーザの地理的位置に近いマイクロブログ・トピックスが優先的に検索されて、マイクロブログ・トピックスのユーザとの関連性を増加させることができる。
【００３５】
一部の実施形態によれば、プロセス５０４は、移動端末が、ソートしたマイクロブログ・トピックスのうち１つ以上の第１マイクロブログ・トピックスを、移動端末のインタフェースの中心領域上に表示し、ソートしたマイクロブログ・トピックスの残りを、中心領域の周りに、インタフェースの側部に向かって表示することを含む。一実施形態では、移動端末が、ソートしたマイクロブログ・トピックスを、これらのマイクロブログ・トピックスを表示する前に、異なるレベルに分割する。例えば、第１レベルが上記１つ以上の第１マイクロブログ・トピックスを含み、他のレベルの各々が少なくとも１つのマイクロブログ・トピックを含む。例として、同じレベルのマイクロブログ・トピックスを、同じ視覚効果でインタフェース上に表示する。他の例では、移動端末が複数のレベルを含む場合に、第１レベルのマイクロブログ・トピックスをインタフェースの中心領域上に表示し、第２レベルのマイクロブログ・トピックスを、第１レベルのマイクロブログ・トピックスの周りに（例えば放射状に）表示し、第３レベルのマイクロブログ・トピックを、第２レベルのマイクロブログ・トピックの周りに（例えば放射状に）表示し、全レベルのマイクロブログ・トピックスを表示するまで行う。
【００３６】
特定実施形態によれば、プロセス５０５では、移動端末が、ソートしたマイクロブログ・トピックスを、インタフェースの中心領域から側部に向かって小さくなるようなフォントで表示し、これらのフォントは所定限度以下の大きさである。一実施形態では、移動端末が、マイクロブログ・トピックスを、インタフェースの中心領域から外向きに側部に向かって小さくなるようなフォントで表示して、視覚効果を増強させる。例えば、マイクロブログ・トピックスのフォントサイズを、異なるレベルに応じて設定することができる。例として、第１レベルのマイクロブログ・トピック（ス）は、No.３（16pt）のフォントサイズを有するように設定し、第２レベルのマイクロブログ・トピック（ス）は、No.４（14pt）のフォントサイズを有するように設定する。
【００３７】
一部の実施形態では、特定の地理的位置に存在するマイクロブログ・トピックが多過ぎる場合、それより低いレベルのマイクロブログ・トピックスは、これらのトピックスを明瞭に表示することができないほど小さいフォントを有することができる。例えば、移動端末は、最小のフォントサイズを設定することができる。一実施形態によれば、特定のマイクロブログ・トピックを最小のフォントサイズで表示した際に、それより低いレベルのすべてのマイクロブログ・トピックスを最小のフォントサイズで表示する。特定実施形態によれば、移動端末は、ボールド（太字）フォントを使用すること、フォント色及び／または背景色を設定すること、等によって、マイクロブログ・トピックスの視覚効果を増強して、異なるマイクロブログ・トピックスをさらに区別することができる。
【００３８】
以上に開示し、ここでさらに強調するように、図２及び５は例に過ぎず、特許請求の範囲を過度に限定すべきものではない。当業者は、多数の変形、代案、及び変形を認識する。例えば、プロセス５０３をプロセス２０３と組み合わせて、異なるソートプロセスを実現することができ、このプロセスは、移動端末が、受信したマイクロブログ・トピックスを、移動端末の地理的位置と受信したマイクロブログ・トピックスの地理的位置との間の距離に応じて昇順にソートすること、及び、受信したマイクロブログ・トピックスのうち２つ以上が同じ地理的位置に対応する場合に、移動端末が、受信したマイクロブログ・トピックスを、受信したマイクロブログ・トピックスの各々に関連するマイクロブログの量に応じて降順にソートすることを含む。
【００３９】
図６は、本発明の一実施形態による、移動端末の特定の構成要素を示す略図である。この図は一例に過ぎず、特許請求の範囲を過度に限定すべきものではない。通常の当業者は、多数の変形、代案、及び変更を認識する。図６に示すように、移動端末６００は、送信モジュール６０１、受信モジュール６０２、ソートモジュール６０３、及び表示モジュール６０４を含む。
【００４０】
一実施形態によれば、送信モジュール６０１は、少なくとも移動端末６００の地理的位置を含む投稿をサーバーに送信するように構成され、これによりサーバーは、少なくともこの投稿に関連する情報に基づいて、移動端末６００の地理的位置に関連するマイクロブログ・トピックを検索することができる。例えば、受信モジュール６０２は、サーバーが送信したマイクロブログ・トピックスを受信するように構成されている。他の例では、ソートモジュール６０３は、受信したマイクロブログ・トピックスをソートするように構成されている。さらに他の例では、表示モジュール６０４は、ソートしたマイクロブログ・トピックスのうち１つ以上の第１マイクロブログ・トピックスを、移動端末のインタフェースの中心領域上に表示し、ソートしたマイクロブログ・トピックスの残りを、中心領域の周りに、インタフェースの１つ以上の側部に向かって（例えば放射状に）表示するように構成されている。さらに他の例では、表示モジュール６０４は、さらに、ソートしたマイクロブログ・トピックスを、インタフェースの中心領域から１つ以上の側部に向かって小さくなるようなフォントで表示するように構成され、これらのフォントは所定限度以上の大きさである。
【００４１】
図７は、本発明の一実施形態による移動端末６００の一部分としての、ソートモジュール６０３の特定構成要素を示す略図である。この図は一例に過ぎず、特許請求の範囲を過度に限定すべきものではない。通常の当業者は、多数の変形、代案、及び変更を認識する。図７に示すように、ソートモジュール６０３は、第１ソートモジュール６０３Ａ、第２ソートモジュール６０３Ｂ、及び第３ソートモジュール６０３Ｃを含む。
【００４２】
一実施形態によれば、第１ソートモジュール６０３Ａは、受信したマイクロブログ・トピックスを、受信したマイクロブログ・トピックスの各々に関連するマイクロブログの量に応じて降順にソートするように構成されている。例えば、第２ソートモジュール６０３Ｂは、受信したマイクロブログ・トピックスを、移動端末の地理的位置と受信したマイクロブログ・トピックスの地理的位置との間の距離に応じて昇順にソートするように構成されている。他の例では、受信したマイクロブログ・トピックスのうちの１つの地理的位置は、ユーザがそのマイクロブログ・トピックを投稿した際のユーザの地理的位置に相当する。さらに他の例では、第３ソートモジュール６０３Ｃは、受信したマイクロブログ・トピックスのうち２つ以上が同じ地理的位置に対応することに応答して、受信したマイクロブログ・トピックスを、受信したマイクロブログ・トピックスの各々に関連するマイクロブログの量に応じて降順にソートするように構成されている。
【００４３】
上述したように、そしてここでさらに強調するように、図６及び７は例に過ぎず、特許請求の範囲を過度に限定すべきものではない。通常の当業者は、多数の変形、代案、及び変更を認識する。例えば、移動端末６００は、マイクロブログ・トピックスを表示する方法を、図１、図２、及び／または図５に示すように実行することができる。例として、移動端末６００は、図６及び／または図７に示すものとは異なるモジュールを含んでもよく、あるいは、図６及び／または図７に示す任意のモジュールを異なる機能モジュールに分割して、上述した機能の全部または一部を完了させてもよい。
【００４４】
一実施形態によれば、マイクロブログ・トピックスを表示する方法は、移動端末が、少なくとも当該移動端末の第１の地理的位置を含む投稿をサーバーに送信し、これによりサーバーが、少なくともこの投稿に関連する情報に基づいて、移動端末の第１の地理的位置に関連するマイクロブログ・トピックスを検索することができるステップと、サーバーにより送信されたマイクロブログ・トピックスを受信するステップと、受信したマイクロブログ・トピックスをソートするステップとを含む。この方法は、さらに、ソートしたマイクロブログ・トピックスのうち１つ以上の第１マイクロブログ・トピックスを、移動端末のインタフェースの中心領域上に表示し、ソートしたマイクロブログ・トピックスの残りを、中心領域の周りに、インタフェースの１つ以上の側部に向かって表示するステップを含む。例えば、この方法は、図１、図２、図５、図６、及び／または図７により実現される。
【００４５】
他の実施形態によれば、移動端末が、送信モジュール、受信モジュール、ソートモジュール、及び表示モジュールを含む。送信モジュールは、少なくとも移動端末の第１の地理的位置を含む投稿を、サーバーに送信するように構成され、これによりサーバーは、少なくともこの投稿に関連する情報に基づいて、移動端末の第１の地理的位置に関連するマイクロブログ・トピックスを検索することができる。受信モジュールは、サーバーが送信したマイクロブログ・トピックスを受信するように構成されている。ソートモジュールは、受信したマイクロブログ・トピックスをソートするように構成されている。表示モジュールは、ソートしたマイクロブログ・トピックスのうち１つ以上の第１マイクロブログ・トピックスを、移動端末のインタフェースの中心領域上に表示し、ソートしたマイクロブログ・トピックスの残りを、中心領域の周りに、インタフェースの１つ以上の側部に向かって表示するように構成されている。例えば、移動端末は、図１、図２、図５、図６、及び／または図７により実現される。
【００４６】
一実施形態では、マイクロブログ・トピックスを表示する方法は、移動端末が、少なくとも当該移動端末の第１の地理的位置を含む投稿をサーバーに送信し、これによりサーバーは、少なくともこの投稿に関連する情報に基づいて、移動端末の第１の地理的位置に関連するマイクロブログ・トピックスを検索することができるステップと、サーバーにより送信されたマイクロブログ・トピックスを受信するステップと、受信したマイクロブログ・トピックスをソートするステップとを含む。この方法は、さらに、ソートしたマイクロブログ・トピックスのうち１つ以上の第１マイクロブログ・トピックスを、移動端末のインタフェースの中心領域上に表示し、ソートしたマイクロブログ・トピックスの残りを、中心領域の周りに、インタフェースの１つ以上の側部に向かって表示するステップと、移動端末が、ソートしたマイクロブログ・トピックスを、インタフェースの中心領域から上記１つ以上の側部に向かって小さくなるようなフォントで表示するステップであって、これらのフォントが所定限度以上の大きさであるステップとを含む。受信したマイクロブログ・トピックスをソートするステップは、移動端末が、受信したマイクロブログ・トピックスを、受信したマイクロブログ・トピックスの各々に関連するマイクロブログの量に応じて降順にソートすることを含む。受信したマイクロブログ・トピックスをソートするステップは、さらに、移動端末が、受信したマイクロブログ・トピックスを、当該移動端末の第１の地理的位置と受信したマイクロブログ・トピックスの第２の地理的位置との間の距離に応じて昇順にソートするステップであって、受信したマイクロブログ・トピックスの第２の地理的位置は、受信したマイクロブログ・トピックスのうちの１つをユーザが投稿した際の、ユーザの第３の地理的位置を含むことステップと、受信したマイクロブログ・トピックスのうちの２つ以上が同じ第２の地理的位置に対応することに応答して、移動端末が、受信したマイクロブログ・トピックスを、受信したマイクロブログ・トピックスの各々に関連するマイクロブログの量に応じて降順にソートするステップとを含む。例えば、この方法は、図１、図２、図５、図６、及び／または図７により実現される。
【００４７】
他の実施形態では、移動端末が、送信モジュール、受信モジュール、ソートモジュール、及び表示モジュールを含む。送信モジュールは、少なくとも移動端末の第１の地理的位置を含む投稿をサーバーに送信するように構成され、これによりサーバーは、少なくともこの投稿に関連する情報に基づいて、移動端末の第１の地理的位置に関連するマイクロブログ・トピックスを検索することができる。受信モジュールは、サーバーが送信したマイクロブログ・トピックスを受信するように構成されている。ソートモジュールは、受信したマイクロブログ・トピックスをソートするように構成されている。表示モジュールは、ソートしたマイクロブログ・トピックスのうち１つ以上の第１マイクロブログ・トピックスを、移動端末のインタフェースの中心領域上に表示し、ソートしたマイクロブログ・トピックスの残りを、中心領域の周りに、インタフェースの１つ以上の側部に向かって表示するように構成されている。表示モジュールはさらに、ソートしたマイクロブログ・トピックスを、インタフェースの中心領域から上記１つ以上の側部に向かって小さくなるようなフォントで表示するように構成され、これらのフォントは所定限度以上の大きさである。ソートモジュールは、受信したマイクロブログ・トピックスを、受信したマイクロブログ・トピックスの各々に関連するマイクロブログの量に応じて降順にソートするように構成された第１ソート部と、受信したマイクロブログ・トピックスを、移動端末の第１の地理的位置と受信したマイクロブログ・トピックスの第２の地理的位置との間の距離に応じて昇順にソートするように構成された第２ソート部であって、受信したマイクロブログ・トピックスの第２の地理的位置は、受信したマイクロブログ・トピックスのうちの１つをユーザが投稿した際の、ユーザの第３の地理的位置を含む第２ソート部と、受信したマイクロブログ・トピックスのうち２つ以上が同じ第２の地理的位置に対応することに応答して、受信したマイクロブログ・トピックスを、受信したマイクロブログ・トピックスの各々に関連するマイクロブログの量に応じて降順にソートするように構成された第３ソート部とを含む。例えば、移動端末は、図１、図２、図５、図６、及び／または図７により実現される。
【００４８】
例えば、本発明の種々の実施形態の一部または全部の構成要素の各々は、個別に、及び／または少なくとも１つの他の構成要素と組み合わせて、１つ以上のソフトウェア構成要素、１つ以上のハードウェア構成要素、及び／またはソフトウェア及びハードウェア構成要素の１つ以上の組合せを用いて実現される。他の例では、本発明の種々の実施形態の一部または全部の構成要素の各々は、個別に、及び／または、少なくとも１つの他の構成要素と組み合わせて、１つ以上の回路で、例えば１つ以上のアナログ回路及び／または１つ以上のデジタル回路で実現される。さらに他の例では、本発明の種々の実施形態及び／または例を組み合わせることができる。
【００４９】
これに加えて、本明細書に記載した方法及びシステムは、多数の異なる種類の処理装置上で、これらの装置のプロセスサブシステムによって実行可能なプログラム命令を含むプログラムコードによって実現することができる。これらのソフトウェア・プログラム命令は、ソースコード、オブジェクトコード、マシンコード（機械語）、または、本明細書に記載した方法及び動作を処理システムに実行させるように動作可能な他のあらゆるストアード（記憶された）データを含むことができる。しかし、本明細書に記載した方法及びシステムを実行するように構成された、適切に設計されたハードウェア、或いはファームウェアのような他の実現も用いることができる。
【００５０】
これらのシステム及び方法のデータ（例えば、関連性、マッピング、データ入力、データ出力、中間結果データ、最終結果データ、等）は、１つ以上の異なる種類のコンピュータ実装型データストア、例えば異なる種類の記憶装置及びプログラミング構成（例えば、ＲＡＭ、ＲＯＭ、フラッシュメモリ、フラットファイル、データベース、プログラミングデータ構造、プログラミング変数、ＩＦ−ＴＨＥＮ（または同種の）文構成、等）に記憶及び実装されることができる。なお、データ構造は、コンピュータ・プログラムが使用するデータベース、プログラム、メモリ、または他のコンピュータ可読媒体において、データを編成し記憶するために使用するフォーマットを記述する。
【００５１】
上記のシステム及び方法は、多数の異なる種類のコンピュータ可読媒体上で提供することができ、これらのコンピュータ可読媒体は、プロセッサによる本明細書に記載した方法の動作を実行、および本明細書に記載したシステムの実現で使用される命令（例えば、ソフトウェア）を含むコンピュータ記憶メカニズム（例えば、ＣＤ−ＲＯＭ、ディスケット（登録商標）、ＲＡＭ、フラッシュメモリ、コンピュータのハード（ディスク）ドライブ、等）を含む。
【００５２】
本明細書に記載したコンピュータの構成要素、ソフトウェア・モジュール、機能、データ蓄積、及びデータ構造は、それらの動作に必要なデータの流れを可能になるように、直接または間接的に互いに接続することができる。また、モジュールまたはプロセッサは、それに限らないが、ソフトウェア動作を実行するコード単位を含み、そして、例えばサブルーチンコード単位として、またはソフトウェア機能コード単位として、または（オブジェクト指向パラダイムにおける）オブジェクトとして、またはアプレットとして、またはコンピュータ・スクリプト言語の形で、あるいは他の種類のコンピュータコードとして実現することができる。これらのソフトウェア・コンポーネント及び／または機能は、目前の状況に応じて、単一のコンピュータ上に配置するか、複数のコンピュータにわたって分散させることができる。
【００５３】
上記コンピュータシステムは、クライアント及びサーバーを含むことができる。クライアントとサーバーとは、一般に互いに遠隔位置にあり、典型的に、通信ネットワークを通して相互作用する。クライアントとサーバーとの関係は、それぞれのコンピュータ上で実行され、かつ互いにクライアント−サーバー関係を有するコンピュータ・プログラムによって生じる。
【００５４】
本明細書は、多数の詳述を含むが、これらは特許請求の範囲、あるいは特許請求することのできる範囲に対する限定として解するべきではなく、むしろ、特定実施形態に特有の記述または特徴として解するべきである。個別の実施形態に関連して本明細書中に記載した特定の特徴を組み合わせて、単一の実施形態の形で実現することもできる。逆に、単一の実施形態に関連して記載した種々の特徴を、複数の実施形態の形で別個に、あるいはあらゆる適切なサブコンビネーション（小結合）の形で実現することもできる。さらに、特徴は、特定実施形態において機能するものとして上述していることがあり、さらには、最初はそのように特許請求しているかも知れないが、一部の場合には、特許請求する組合せからの１つ以上の特徴を、その組合せから取り出すことができ、特許請求する組合せを、サブコンビネーションまたはサブコンビネーションの変形に指向させることができる。
【００５５】
同様に、図面中では、動作を特定順序で図示しているが、このことは、所望の結果を達成するために、こうした動作を図に示す特定順序で実行すること、あるいは、図示する動作のすべてを実行することを要求するものとして理解すべきではない。特定環境では、マルチタスク処理及び並列処理が有利であり得る。さらに、上述した実施形態における種々のシステム構成要素の分離は、すべての実施形態においてこうした分離を要求するものとして理解すべきではなく、記載したプログラム・コンポーネント及びシステムは一般に、一緒に統合して単一のソフトウェア製品にするか、パッケージ化して複数のソフトウェア製品にすることができることは明らかである。
【００５６】
本発明の特定実施形態を説明してきたが、説明した実施形態と等価である他の実施形態が存在することは、当業者にとって明らかである。従って、本発明は、例示した特定実施形態によって限定されず、添付した特許請求の範囲のみによって限定される。
【図１】
2015513723.tif 000003
【図２】
2015513723.tif 000004
【図３】
2015513723.tif 000005
【図４】
2015513723.tif 000006
【図５】
2015513723.tif 000007
【図６】
2015513723.tif 000008
【図７】
2015513723.tif 000009
【国際調査報告】
2015513723.tif 000010
2015513723.tif 000011